(57)【要約】【課題】簡単且つ効率的に、表示部に表示された画像において所望の処理対象範囲をよりフレキシブルに設定することができる画像処理装置を提供する。【解決手段】画像処理装置１は、画像を表示する表示部２０と、表示部２０に表示された画像に対して２つの座標点を指定する座標指定部としてのマウス３０と、マウス３０で指定された２つの座標点を通ると共に当該２つの座標点間の距離を直径とする円形を、前記画像に重ねて、所定の線幅の基本線で描画する円形描画部としての図形描画部１４と、描画された前記円形の基本線の線幅を増大させ、円環状の領域を規定すると共に、当該円環状の領域の輪郭によって囲まれる領域を、処理対象範囲として設定する処理範囲設定部１５と、を備える。【選択図】図４
2016040677.tif 000002
【特許請求の範囲】
【請求項１】
画像を表示する表示部と、
前記表示部に表示された画像に対して２つの座標点を指定する座標指定部と、
前記座標指定部で指定された２つの座標点を通ると共に当該２つの座標点間の距離を直径とする円形を、前記画像に重ねて、所定の線幅の基本線で描画する円形描画部と、
前記円形描画部によって描画された前記円形の基本線の線幅を増大させ、円環状の領域を規定すると共に、当該円環状の領域の輪郭によって囲まれる領域を、処理対象範囲として設定する処理範囲設定部と、
を備えたことを特徴とする画像処理装置。
【請求項２】
画像を表示する表示部と、
前記表示部に表示された画像に対して３つの座標点を指定する座標指定部と、
前記座標指定部で指定された３つの座標点を通る円弧を、前記画像に重ねて、所定の線幅の基本線で描画する円弧描画部と、
前記円弧描画部によって描画された前記円弧の基本線の線幅を増大させ、扇形状の領域を規定すると共に、当該扇形状の領域の輪郭によって囲まれる領域を、処理対象範囲として設定する処理範囲設定部と、
を備えたことを特徴とする画像処理装置。
【請求項３】
前記処理範囲設定部は、前記基本線の線幅を、内径方向と外径方向とで等距離ずつ増大させるようになっている
ことを特徴とする請求項１または２に記載の画像処理装置。
【請求項４】
画像を表示する表示部と、
前記表示部に表示された画像に対して２つの座標点を指定する座標指定部と、
前記座標指定部で指定された２つの座標点間を結ぶ線分を、前記画像に重ねて、所定の線幅の基本線で描画する線分描画部と、
前記線分描画部によって描画された前記線分の基本線の線幅を増大させ、矩形状の領域を規定すると共に、当該矩形状の領域の輪郭によって囲まれる領域を、処理対象範囲として設定する処理範囲設定部と、
を備えたことを特徴とする画像処理装置。
【請求項５】
前記処理範囲設定部は、前記基本線の線幅を、前記線分に直交する両方向で等距離ずつ増大させるようになっている
ことを特徴とする請求項４に記載の画像処理装置。
【請求項６】
前記座標指定部は、マウスを有する
ことを特徴とする請求項１乃至５のいずれかに記載の画像処理装置。
【請求項７】
前記処理範囲設定部は、マウスホイールの回転に応じて、前記線幅を増大させるようになっている
ことを特徴とする請求項６に記載の画像処理装置。
【請求項８】
前記処理範囲設定部によって処理対象範囲として設定された領域は、前記表示部に表示される
ことを特徴とする請求項１乃至７のいずれかに記載の画像処理装置。
【発明の詳細な説明】
【技術分野】
【０００１】
本発明は、画像の一部を処理対象範囲として設定するための画像処理装置に関する。
【背景技術】
【０００２】
液晶表示装置等の表示部に表示された画像の一部を処理対象範囲として任意に設定し、処理対象範囲とされた画像を拡大して表示したり、処理対象範囲とされた画像に対して特定の画像処理を施したりすることが、従来から行われている。
【０００３】
画像の一部を処理対象範囲として設定する一般的な手法としては、マウス及びコンピュータを介して、表示部に表示された画像に重ねて矩形や円形の図形を描画し、これらの図形によって囲まれる領域を処理対象範囲として設定する手法が知られている。
【０００４】
このような手法において、矩形の場合には、例えば、画像において１つの基準座標点をマウスのクリック操作等によって指定し、当該基準座標点からマウスをドラッグ（移動）させる操作に伴って、基準座標点とドラッグ先の座標点とを結んだ線分を対角線とする矩形が描画される。矩形のサイズは、ドラッグの操作に応じて調整可能であり、これにより、ユーザは処理対象範囲を所望のサイズに調整可能である。通常、このような矩形は、水平方向に沿う２辺と鉛直方向に沿う２辺とで構成される。従って、斜めに延びる領域を処理対象範囲として設定したい場合には、不適当である。
【０００５】
一方、円形の場合には、例えば、画像において２つの座標点をマウスのクリック操作等によって指定し、２つの座標点を通ると共に当該２つの座標点間の距離を直径とする円形が描画される。２つの座標点間の距離（直径）を調整することで、ユーザは、処理対象範囲を所望のサイズに調整可能である。
【０００６】
特許文献１には、画像上に表示された所定の直径を有する円形のカーソルを移動させ、この移動軌跡の全体によって囲まれる領域を、処理対象範囲として設定することが開示されている。また、特許文献２には、画像において２つの座標点を指定した場合に、２つの座標点を結ぶ線分を基準として当該線分に直交する両方向に所定幅だけ拡がる矩形が描画され、この矩形によって囲まれる領域を処理対象範囲として設定することが開示されている。
【０００７】
特許文献１及び特許文献２の技術は、斜めに延びる領域を処理対象範囲として設定したい場合にも、有効である。
【先行技術文献】
【特許文献】
【０００８】
【特許文献１】特開２００７−３００２０２号公報
【特許文献２】特開２０１１−１３８５２８号公報
【発明の概要】
【発明が解決しようとする課題】
【０００９】
しかしながら、特許文献１の技術では、円形のカーソルの直径が、描画可能な図形の幅寸法となっている。このため、当該幅寸法を変更するためには、円形のカーソルの直径の設定値を変更する設定変更作業を行う必要がある。これは、面倒である。
【００１０】
また、特許文献２の技術は、基準としての線分に直交する両方向に拡がる予め設定された所定幅が、描画可能な図形の幅寸法となっている。このため、当該所定幅を変更するためには、所定幅の設定値を変更する設定変更作業を行う必要がある。これは、特許文献１と同様に、面倒である。
【００１１】
本発明は、このような事情に鑑みてなされたものであり、簡単且つ効率的に、表示部に表示された画像において所望の処理対象範囲をよりフレキシブルに設定することができる画像処理装置を提供することを目的とする。
【課題を解決するための手段】
【００１２】
本発明は、画像を表示する表示部と、前記表示部に表示された画像に対して２つの座標点を指定する座標指定部と、前記座標指定部で指定された２つの座標点を通ると共に当該２つの座標点間の距離を直径とする円形を、前記画像に重ねて、所定の線幅の基本線で描画する円形描画部と、前記円形描画部によって描画された前記円形の基本線の線幅を増大させ、円環状の領域を規定すると共に、当該円環状の領域の輪郭によって囲まれる領域を、処理対象範囲として設定する処理範囲設定部と、を備えたことを特徴とする画像処理装置、である。
【００１３】
本発明によれば、例えば、円形の領域の外縁部分乃至その周辺を処理対象範囲として設定したい場合に、前記外縁部分に大まかに重なるような円形を円形描画部によって描画し、円形描画部によって描画された円形の基本線の線幅を処理範囲設定部によって任意に増大させることで、所望の幅を有する円環状の領域として処理対象範囲を設定することができる。このため、簡単且つ効率的に、表示部に表示された画像において、所望の幅を有する円環状の領域として処理対象範囲をよりフレキシブルに設定することができる。
【００１４】
また、本発明は、画像を表示する表示部と、前記表示部に表示された画像に対して３つの座標点を指定する座標指定部と、前記座標指定部で指定された３つの座標点を通る円弧を、前記画像に重ねて、所定の線幅の基本線で描画する円弧描画部と、前記円弧描画部によって描画された前記円弧の基本線の線幅を増大させ、扇形状の領域を規定すると共に、当該扇形状の領域の輪郭によって囲まれる領域を、処理対象範囲として設定する処理範囲設定部と、を備えたことを特徴とする画像処理装置、である。
【００１５】
本発明によれば、例えば、円弧状部分乃至その周辺を処理対象範囲として設定したい場合に、前記円弧状部分に大まかに重なるような円弧を円弧描画部によって描画し、円弧描画部によって描画された円弧の基本線の線幅を処理範囲設定部によって任意に増大させることで、所望の幅を有する扇形状の領域として処理対象範囲を設定することができる。このため、簡単且つ効率的に、表示部に表示された画像において、所望の幅を有する扇形状の領域として処理対象範囲をよりフレキシブルに設定することができる。
【００１６】
また、前記処理範囲設定部は、前記基本線の線幅を、内径方向と外径方向とで等距離ずつ増大させるようになっていることが好ましい。
この場合、処理対象範囲として設定したい円環状または扇形状の領域の内径及び外径の中間径を有する円形または円弧を、円形描画部または円弧描画部によって描画させればよいため、処理対象範囲の設定操作を容易に行うことができる。
【００１７】
また、本発明は、画像を表示する表示部と、前記表示部に表示された画像に対して２つの座標点を指定する座標指定部と、前記座標指定部で指定された２つの座標点間を結ぶ線分を、前記画像に重ねて、所定の線幅の基本線で描画する線分描画部と、前記線分描画部によって描画された前記線分の基本線の線幅を増大させ、矩形状の領域を規定すると共に、当該矩形状の領域の輪郭によって囲まれる領域を、処理対象範囲として設定する処理範囲設定部と、を備えたことを特徴とする画像処理装置、である。
【００１８】
本発明によれば、例えば、斜めに延びる線分部分乃至その周辺を処理対象範囲として設定したい場合に、前記斜めに延びる線分部分に大まかに重なるような線分を線分描画部によって描画し、線分描画部によって描画された線分の基本線の線幅を処理範囲設定部によって任意に増大させることで、斜めに延び、且つ、所望の幅を有する矩形状の領域として処理対象範囲を設定することができる。このため、簡単且つ効率的に、表示部に表示された画像において、所望の幅を有する矩形状の領域として処理対象範囲をよりフレキシブルに設定することができる。
【００１９】
前記処理範囲設定部は、前記基本線の線幅を、前記線分に直交する両方向で等距離ずつ増大させるようになっていることが好ましい。
この場合、処理対象範囲として設定したい矩形状の領域の中心線に重なる線分を、線分描画部によって描画させればよいため、処理対象範囲の設定操作を容易に行うことができる。
【００２０】
また、前記座標指定部は、マウスを含んで構成されることが好ましい。この場合、前記処理範囲設定部は、マウスホイールの回転に応じて、前記線幅を増大させるようになっていることが好ましい。この場合、処理対象範囲の設定操作を容易に行うことができる。
【００２１】
また、前記処理範囲設定部によって処理対象範囲として設定された領域は、前記表示部に表示されることが一般的である。
【発明の効果】
【００２２】
本発明によれば、例えば、円形の領域の外縁部分乃至その周辺を処理対象範囲として設定したい場合に、前記外縁部分に大まかに重なるような円形を円形描画部によって描画し、円形描画部によって描画された円形の基本線の線幅を処理範囲設定部によって任意に増大させることで、所望の幅を有する円環状の領域として処理対象範囲を設定することができる。このため、簡単且つ効率的に、表示部に表示された画像において、所望の幅を有する円環状の領域として処理対象範囲をよりフレキシブルに設定することができる。
また、本発明によれば、例えば、円弧状部分乃至その周辺を処理対象範囲として設定したい場合に、前記円弧状部分に大まかに重なるような円弧を円弧描画部によって描画し、円弧描画部によって描画された円弧の基本線の線幅を処理範囲設定部によって任意に増大させることで、所望の幅を有する扇形状の領域として処理対象範囲を設定することができる。このため、簡単且つ効率的に、表示部に表示された画像において、所望の幅を有する扇形状の領域として処理対象範囲をよりフレキシブルに設定することができる。
また、本発明によれば、例えば、斜めに延びる線分部分乃至その周辺を処理対象範囲として設定したい場合に、前記斜めに延びる線分部分に大まかに重なるような線分を線分描画部によって描画し、線分描画部によって描画された線分の基本線の線幅を処理範囲設定部によって任意に増大させることで、斜めに延び、且つ、所望の幅を有する矩形状の領域として処理対象範囲を設定することができる。このため、簡単且つ効率的に、表示部に表示された画像において、所望の幅を有する矩形状の領域として処理対象範囲をよりフレキシブルに設定することができる。
【図面の簡単な説明】
【００２３】
【図１】本発明の一実施の形態に係る画像処理装置と、当該画像処理装置に接続された加工機と、を示した図である。
【図２】図１に示す画像処理装置が備えるコンピュータの機能構成を説明するブロック図である。
【図３】図１に示す画像処理装置の表示部に表示された画像の一例を示す図である。
【図４】図１の画像処理装置において円環状の領域として処理対象範囲を設定する処理を説明する図である。
【図５】図４の処理で設定された処理対象範囲の画像を示す図である。
【図６】図１の画像処理装置において扇形状の領域として処理対象範囲を設定する処理を説明する図である。
【図７】図６の処理で設定された処理対象範囲の画像を示す図である。
【図８】図１の画像処理装置において矩形状の領域として処理対象範囲を設定する処理を説明する図である。
【図９】図８の処理で設定された処理対象範囲の画像を示す図である。
【発明を実施するための形態】
【００２４】
以下に、添付の図面を参照して、本発明の一実施の形態を詳細に説明する。
【００２５】
図１は、本発明の一実施の形態に係る画像処理装置１と、画像処理装置１に接続された加工機１００と、を示した図である。
【００２６】
図１に示すように、画像処理装置１は、画像処理装置１の全体を制御する制御装置であるコンピュータ１０と、コンピュータ１０に接続された液晶表示装置等の表示部２０と、コンピュータ１０に接続されたマウス３０及びキーボード４０と、を備えている。画像処理装置１は、加工機１００に設けられた撮像装置１０１にコンピュータ１０を介して電気的に接続されており、撮像装置１０１によって撮像される画像を表示部２０に表示するようになっている。ユーザは、マウス３０及びキーボード４０を操作することで、表示部２０に表示された画像に対して各種処理乃至操作を施すことが可能となっている。
【００２７】
図１に示すように、マウス３０は、左前方の第１ボタン３１と、右前方の第２ボタン３２と、第１ボタン３１と第２ボタン３２との間に回転可能に設けられたマウスホイール３３と、を有している。表示部２０に表示された画像に対する各種処理乃至操作は、ユーザが、適宜、マウス３０をドラッグ（移動）させ、第１ボタン３１及び／または第２ボタン３２を指でクリック（押下）操作し、マウスホイール３３を指で回転させること等で、実施されるようになっている。
【００２８】
図示の加工機１００は、立型加工機であって、ワーク１２１を固定するチャック１１０と、チャック１１０に固定されるワーク１２１の上方に配置され、下端部に工具１２２が取付けられ、ワーク１２１の加工時に当該ワーク１２１に向かって相対的に下降されるようになっている主軸１２０と、を備えている。加工機１００では、ワーク１２１を、チャック１１０を介して主軸１２０に対して相対的にＸ軸方向及びＹ軸方向（水平面方向）に移動させつつ、主軸１２０を下降することで、ワーク１２１の任意の部分を加工することが可能となっている。
【００２９】
撮像装置１０１は、主軸１２０に隣接して設けられていて、ワーク１２１を撮像するようになっている。これにより、本実施の形態の画像処理装置１では、表示部２０にワーク１２１の画像が表示されるようになっている。
【００３０】
図２は、画像処理装置１におけるコンピュータ１０の機能構成を説明するブロック図である。図２に示すように、コンピュータ１０は、画像入力部１１と、画像出力部１２と、操作入力部１３と、図形描画部１４と、処理範囲設定部１５と、を有している。
【００３１】
画像入力部１１には、加工機１００の撮像装置１０１で撮像された画像が入力されるようになっている。画像出力部１２は、画像入力部１１に入力された画像を表示部２０に表示させるようになっている。操作入力部１３は、マウス３０及びキーボード４０からのユーザの操作を受け付けるためのインタフェースとして機能するようになっている。具体的には、操作入力部１３は、マウス３０及びキーボード４０に対してなされるユーザの操作に基づく操作信号を、画像出力部１２、図形描画部１４及び処理範囲設定部１５に出力するようになっている。
【００３２】
図形描画部１４は、ユーザによるマウス３０の操作に応じて、表示部２０に表示されたワーク１２１の画像に重ねて、円形、円弧、または直線状の線分を、所定の線幅の基本線で描画するようになっている。また、処理範囲設定部１５は、ユーザによるマウス３０の操作に応じて、図形描画部１４によって描画された円形、円弧、または線分の基本線の線幅を増大させるようになっている。そして、処理範囲設定部１５は、ユーザによるマウス３０の操作に応じて、円形、円弧、または線分の基本線の線幅が増大された図形（円環状、扇形状または矩形状の図形）の輪郭によって囲まれる領域を、処理対象範囲として設定するようになっている。
【００３３】
具体的に、例えば、ユーザが処理対象範囲として円環状の領域の設定を所望する場合、本実施の形態の図形描画部１４は、マウス３０（座標指定部）で指定される２つの座標点を通ると共に当該２つの座標点間の距離を直径とする円形を、ワーク１２１の画像に重ねて、所定の線幅の基本線で描画することが可能となっている。そして、この場合、処理範囲設定部１５は、図形描画部１４によって描画された円形の基本線の線幅を増大させ、所望の幅の円環状の領域を規定すると共に、当該円環状の領域の輪郭によって囲まれる領域を、処理対象範囲として設定することが可能となっている。
【００３４】
また、例えば、ユーザが処理対象範囲として扇形状の領域の設定を所望する場合、本実施の形態の図形描画部１４は、マウス３０（座標指定部）で指定される３つの座標点を通る円弧を、ワーク１２１の画像に重ねて、所定の線幅の基本線で描画することが可能となっている。そして、この場合、処理範囲設定部１５は、図形描画部１４によって描画された円弧の基本線の線幅を増大させ、所望の幅の扇形状の領域を規定すると共に、当該扇形状の領域の輪郭によって囲まれる領域を、処理対象範囲として設定することが可能となっている。
【００３５】
さらに、例えば、ユーザが処理対象範囲として矩形状の領域の設定を所望する場合、本実施の形態の図形描画部１４は、マウス３０（座標指定部）で指定される２つの座標点間を結ぶ線分を、ワーク１２１の画像に重ねて、所定の線幅の基本線で描画することが可能となっている。そして、この場合、処理範囲設定部１５は、図形描画部１４によって描画された線分の基本線の線幅を増大させ、所望の幅の矩形状の領域を規定すると共に、当該矩形状の領域の輪郭によって囲まれる領域を、処理対象範囲として設定することが可能となっている。
【００３６】
そして、本実施の形態の画像処理装置１は、処理対象範囲として設定された画像を拡大して表示したり、処理対象範囲として設定された画像内の形状に関するパラメータ（円の直径、円弧の半径、辺の長さ等）を高精度に画像処理演算したりすることが可能となっている。
【００３７】
また、本実施の形態では、円環状の領域による処理対象範囲の設定と、扇形状の領域による処理対象範囲の設定と、矩形状による処理対象範囲の設定とが、ユーザの選択によってなされるようになっている。具体的には、図形描画部１４が、円形、円弧、または線分のいずれかを描画し、これらのいずかに基づいて処理範囲設定部１５によって処理対象範囲を設定可能となっている（すなわち、図形描画部１４が、特許請求の範囲における、円形描画部、円弧描画部、もしくは線分描画部として、機能するようになっている）。
【００３８】
次に、以上のような構成からなる画像処理装置１の作用について説明する。
【００３９】
図３は、表示部２０に表示されるワーク１２１の画像の一例が示されている。図３の例では、表示エリアＡ１に、ワーク１２１の上面の平面視画像の全体が表示されている。具体的には、工具１２２によって加工された後のワーク１２１の上面領域における、円柱部Ｆ１と、断面円弧状のエッジ（円弧状部分）を有する湾曲壁部Ｆ２と、斜めに長尺に延びる矩形壁部Ｆ３と、が示されている。
【００４０】
以下では、円柱部Ｆ１の外縁部分乃至その周辺を、円環状の領域によって処理対象範囲として設定する例と、湾曲壁部Ｆ２の円弧状のエッジ（円弧状部分）乃至その周辺を、扇形状の領域によって処理対象範囲として設定する例と、矩形壁部Ｆ３の線分部分（辺）乃至その周辺を、斜めに延びる矩形状の領域によって処理対象範囲として設定する例と、について説明する。
【００４１】
（円環状の領域による処理対象範囲の設定）
先ず、図３に示した円柱部Ｆ１の外縁部分乃至その周辺を、ユーザが、円環状の領域によって処理対象範囲として設定する例について図４を用いて説明する。
【００４２】
図４（Ａ）には、図３で示した円柱部Ｆ１が拡大されて示されている。円柱部Ｆ１の外縁部分乃至その周辺を、円環状の領域によって処理対象範囲として設定する場合には、ユーザはマウス３０を操作し、図形描画部１４に円形を描画させる。
【００４３】
この場合、先ず、ユーザは、マウス３０を操作し、１つの座標点Ｐ１を指定する。本実施の形態では、図４（Ｂ）に示すように、ユーザは、円柱部Ｆ１の外縁上に位置する点にカーソルを位置決めし、第１操作部３１をクリック操作（押下、いわゆるマウスダウン）することで座標点Ｐ１を指定する。
【００４４】
次いで、ユーザは、マウス３０をドラッグ（移動）させる。本実施の形態では、図４（Ｃ）の矢印に示すように、ユーザは、第１操作部３１を押下した状態を維持したまま、カーソルが円柱部Ｆ１の直径方向に沿って移動するように、マウス３０をドラッグさせる。
【００４５】
そして、ユーザは、ドラッグ先で座標点Ｐ２を指定する。本実施の形態では、図４（Ｄ）に示すように、ユーザは、円柱部Ｆ１の外縁上に位置する点であって、円柱部Ｆ１の中心を挟んで座標点Ｐ１に対向する点に、カーソルを位置決めし、第１操作部３１をクリック（押下）した状態を解除（いわゆるマウスアップ）することで、座標点Ｐ２を指定する。
【００４６】
図４（Ｂ）〜図４（Ｄ）に説明した操作が行われると、本実施の形態では、図４（Ｅ）に示すように、図形描画部１４によって、２つの座標点Ｐ１，Ｐ２を通ると共に当該２つの座標点Ｐ１，Ｐ２間の距離を直径とする図中太線の円形Ｃ１が、表示部２０に表示されたワーク１２１の画像に重ねられて所定の線幅の基本線として描画される。すなわち、図４（Ｂ）〜図４（Ｄ）に説明した操作によって、ユーザは、円柱部Ｆ１の外縁部分に大まかに重なるような円形Ｃ１を描画することができる。
【００４７】
そして、本実施の形態では、ユーザが、マウス３０のマウスホイール３３を一方向に回転させることで、図４（Ｆ）に示すように、処理範囲設定部１５が、図形描画部１４によって描画された円形Ｃ１の基本線の線幅を増大させ、二点鎖線で示す円環状の領域Ｒ１を規定すると共に、当該円環状の領域Ｒ１の輪郭によって囲まれる領域を、処理対象範囲の候補として表示することが可能となっている。この円環状の領域Ｒ１は、視認可能な態様で、画像に重ねて表示される。
【００４８】
ここで、本実施の形態の処理範囲設定部１５は、図４（Ｅ）及び図４（Ｆ）の矢印に示すように、マウスホイール３３の回転を一方向に進めるに従い、円形Ｃ１の線幅を、内径方向と外径方向とで等距離ずつ徐々に、増大させるようになっている。なお、増大された線幅は、マウスホイール３３を増大させる際の方向とは逆方向（他方向）に回転させることで、減少させることが可能となっている。
【００４９】
そして、ユーザは、マウスホイール３３の操作によって所望の幅に円環状の領域Ｒ１を調整した後、例えば第１操作部３１をクリック（押下）して、処理対象範囲を確定させる。図５には、処理対象範囲として設定（確定）された、円柱部Ｆ１の外縁部分乃至その周辺の画像Ｄ１が示されている。本実施の形態では、表示部２０における表示エリアＡ１とは異なる表示エリアＡ２に、この画像Ｄ１が表示されるようになっている（図３参照）。
【００５０】
このように本実施の形態では、図４で示したように、例えば、円形の領域の外縁部分乃至その周辺を処理対象範囲として設定したい場合に、前記外縁部分に大まかに重なるような円形を円形描画部としての図形描画部１４によって描画し、図形描画部１４によって描画された円形の基本線の線幅を処理範囲設定部１５によって任意に増大させることで、所望の幅を有する円環状の領域として処理対象範囲を設定することができる。このため、簡単且つ効率的に、表示部２０に表示された画像において、所望の幅を有する円環状の領域として処理対象範囲をよりフレキシブルに設定することができる。
【００５１】
また、本実施の形態では、円形の基本線の線幅を、内径方向と外径方向とで等距離ずつ増大させるようになっている。これにより、処理対象範囲として設定したい円環状の領域の内径及び外径の中間径を有する円形を、図形描画部１４によって描画させればよいため、処理対象範囲の設定操作を容易に行うことができるようになっている。
【００５２】
さらに、本実施の形態では、マウスホイール３３の回転に応じて、円形の基本線の線幅を増大させるようになっているので、処理対象範囲の設定操作を容易に行うことができる。より詳しくは、マウスホイール３３の回転を進めるに従い、円形の基本線の線幅を、内径方向と外径方向とで等距離ずつ徐々に、増大させるようになっていると共に、増大された線幅は、マウスホイール３３を増大させる際の方向とは逆方向（他方向）に回転させることで、減少させることが可能となっている。このため、所望の幅の設定操作を容易に行うことができるようになっている。
【００５３】
（扇形状の領域による処理対象範囲の設定）
次に、図３に示した湾曲壁部Ｆ２の円弧状部分乃至その周辺を、ユーザが、扇形状の領域によって処理対象範囲として設定する例について図６を用いて説明する。
【００５４】
図６（Ａ）には、図３で示した湾曲壁部Ｆ２が拡大されて示されている。湾曲壁部Ｆ２の円弧状部分乃至その周辺を、扇形状の領域によって処理対象範囲として設定する場合には、ユーザはマウス３０を操作し、図形描画部１４に円弧を描画させる。
【００５５】
この場合、先ず、ユーザは、マウス３０を操作し、１つの座標点Ｐ３を指定する。本実施の形態では、図６（Ｂ）に示すように、ユーザは、湾曲壁部Ｆ２における円弧状部分に位置する点にカーソルを位置決めし、第１操作部３１をクリック操作（押下、いわゆるマウスダウン）することで座標点Ｐ３を指定する。
【００５６】
次いで、ユーザは、マウス３０をドラッグさせ、ドラッグ先で、座標点Ｐ４を指定する。本実施の形態では、図６（Ｃ）の矢印に示すように、ユーザは、第１操作部３１を押下した状態を維持したまま、カーソルを湾曲壁部Ｆ２における円弧状部分に沿うように移動させ、カーソルを座標点Ｐ３とは異なる円弧状部分に位置する点に位置決めし、第２操作部３２をクリック操作（押下、いわゆる右クリックのマウスダウン）することで、座標点Ｐ４を指定する。座標点Ｐ４の指定後には、ユーザは、第２操作部３２を押下した状態を解除する。
【００５７】
次いで、ユーザは、さらにマウス３０をドラッグさせ、ドラッグ先で、座標点Ｐ５を指定する。本実施の形態では、図６（Ｄ）に示すように、ユーザは、第１操作部３１を押下した状態を維持したまま、カーソルを湾曲壁部Ｆ２における円弧状部分に沿うように移動させ、カーソルを座標点Ｐ３及びＰ４とは異なる円弧状部分に位置する点に位置決めし、第１操作部３１を押下した状態を解除（いわゆるマウスアップ）することで、座標点Ｐ５を指定する。
【００５８】
図６（Ｂ）〜図６（Ｄ）に説明した操作が行われることによって、本実施の形態では、図６（Ｅ）に示すように、図形描画部１４によって、３つの座標点Ｐ３，Ｐ４，Ｐ５を通る図中太線の円弧Ｃ２が、表示部２０に表示されたワーク１２１の画像に重ねられて所定の線幅の基本線として描画される。すなわち、図６（Ｂ）〜図６（Ｄ）に説明した操作によって、ユーザは、湾曲壁部Ｆ２の円弧状部分に大まかに重なるような円弧Ｃ２を描画することができる。本実施の形態の円弧Ｃ２は、座標点Ｐ３，Ｐ４，Ｐ５を通る所定の曲率半径の円弧となっている。当該円弧の曲率半径は、３つの座標点に応じて適切に演算されるようになっている。
【００５９】
そして、本実施の形態では、ユーザが、マウス３０のマウスホイール３３を一方向に回転させることで、図６（Ｆ）に示すように、処理範囲設定部１５が、図形描画部１４によって描画された円弧Ｃ２の基本線の線幅を増大させ、二点鎖線で示す扇形状の領域Ｒ２を規定すると共に、当該扇形状の領域Ｒ２の輪郭によって囲まれる領域を、処理対象範囲の候補として表示することが可能となっている。この扇形状の領域Ｒ２は、視認可能な態様で、画像に重ねて表示される。
【００６０】
ここで、本実施の形態の処理範囲設定部１５は、図６（Ｅ）及び図６（Ｆ）の矢印に示すように、マウスホイール３３の回転を一方向に進めるに従い、円弧Ｃ２の線幅を、内径方向と外径方向とで等距離ずつ徐々に、増大させるようになっている。なお、増大された線幅は、マウスホイール３３を増大させる際の方向とは逆方向（他方向）に回転させることで、減少させることが可能となっている。
【００６１】
そして、ユーザは、マウスホイール３３の操作によって所望の幅に扇形状の領域Ｒ２を調整した後、例えば第１操作部３１をクリック（押下）して、処理対象範囲を確定させる。図７には、処理対象範囲として設定（確定）された、湾曲壁部Ｆ２の円弧状部分乃至その周辺の画像Ｄ２が示されている。本実施の形態では、表示部２０における表示エリアＡ１とは異なる表示エリアＡ３に、この画像Ｄ２が表示されるようになっている（図３参照）。
【００６２】
このように本実施の形態では、図６で示したように、例えば、円弧状部分を有する領域の円弧状部分乃至その周辺を処理対象範囲として設定したい場合に、前記円弧状部分に大まかに重なるような円弧を円弧描画部としての図形描画部１４によって描画し、図形描画部１４によって描画された円弧の基本線の線幅を処理範囲設定部１５によって任意に増大させることで、所望の幅を有する扇形状の領域として処理対象範囲を設定することができる。このため、簡単且つ効率的に、表示部２０に表示された画像において、所望の幅を有する扇形状の領域として処理対象範囲をよりフレキシブルに設定することができる。
【００６３】
また、本実施の形態では、円弧の基本線の線幅を、内径方向と外径方向とで等距離ずつ増大させるようになっている。これにより、処理対象範囲として設定したい扇形状の領域の内径及び外径の中間径を有する円弧を、図形描画部１４によって描画させればよいため、処理対象範囲の設定操作を容易に行うことができるようになっている。
【００６４】
さらに、本実施の形態では、マウスホイール３３の回転に応じて、円弧の基本線の線幅を増大させるようになっているので、処理対象範囲の設定操作を容易に行うことができる。より詳しくは、マウスホイール３３の回転を一方向に進めるに従い、円弧の基本線の線幅を、内径方向と外径方向とで等距離ずつ徐々に、増大させるようになっていると共に、増大された線幅は、マウスホイール３３を増大させる際の方向とは逆方向（他方向）に回転させることで、減少させることが可能となっている。このため、所望の幅の設定操作を容易に行うことができるようになっている。
【００６５】
（矩形状による処理対象範囲の設定）
次に、図３に示した矩形壁部Ｆ３の線分部分（辺）乃至その周辺を、ユーザが、斜めに延びる矩形状の領域によって処理対象範囲として設定する例について図８を用いて説明する。
【００６６】
図８（Ａ）には、図３で示した矩形壁部Ｆ３が拡大されて示されている。矩形壁部Ｆ３の線分部分（辺）乃至その周辺を、斜めに延びる矩形状の領域によって処理対象範囲として設定する場合には、ユーザはマウス３０を操作し、図形描画部１４に線分を描画させる。
【００６７】
この場合、先ず、ユーザは、マウス３０を操作し、１つの座標点Ｐ６を指定する。本実施の形態では、図８（Ｂ）に示すように、ユーザは、矩形壁部Ｆ３の線分部分（辺）の一端に位置する点にカーソルを位置決めし、第１操作部３１をクリック操作（押下、いわゆるマウスダウン）することで座標点Ｐ６を指定する。
【００６８】
次いで、ユーザは、マウス３０をドラッグ（移動）させる。本実施の形態では、図８（Ｃ）の矢印に示すように、ユーザは、第１操作部３１を押下した状態を維持したまま、カーソルが矩形壁部Ｆ３の斜めに延びる方向に沿って移動するように、マウス３０をドラッグさせる。
【００６９】
そして、ユーザは、ドラッグ先で座標点Ｐ７を指定する。本実施の形態では、図８（Ｄ）に示すように、ユーザは、矩形壁部Ｆ３の他端に位置する点に、カーソルを位置決めし、第１操作部３１をクリック（押下）した状態を解除（いわゆるマウスアップ）することで、座標点Ｐ７を指定する。
【００７０】
図８（Ｂ）〜図８（Ｄ）に説明した操作が行われると、本実施の形態では、図８（Ｅ）に示すように、図形描画部１４によって、２つの座標点Ｐ６，Ｐ７間を結ぶ図中太線の線分Ｃ３が、表示部２０に表示されたワーク１２１の画像に重ねられて所定の線幅の基本線として描画される。すなわち、図８（Ｂ）〜図８（Ｄ）に説明した操作によって、ユーザは、矩形壁部Ｆ３の線分部分に大まかに重なるような線分Ｃ３を描画することができる。
【００７１】
そして、本実施の形態では、ユーザが、マウス３０のマウスホイール３３を一方向に回転させることで、図８（Ｆ）に示すように、処理範囲設定部１５が、図形描画部１４によって描画された線分Ｃ３の基本線の線幅を増大させ、二点鎖線で示す矩形状の領域Ｒ３を規定すると共に、当該矩形状の領域Ｒ３の輪郭によって囲まれる領域を、処理対象範囲の候補として表示することが可能となっている。この矩形状の領域Ｒ３は、視認可能な態様で、画像に重ねて表示される。
【００７２】
ここで、本実施の形態の処理範囲設定部１５は、図８（Ｅ）及び図８（Ｆ）の矢印に示すように、マウスホイール３３の回転を一方向に進めるに従い、線分Ｃ３の線幅を、線分Ｃ３に直交する両方向で等距離ずつ徐々に、増大させるようになっている。なお、増大された線幅は、マウスホイール３３を増大させる際の方向とは逆方向（他方向）に回転させることで、減少させることが可能となっている。
【００７３】
そして、ユーザは、マウスホイール３３の操作によって所望の幅に矩形状の領域Ｒ３を調整した後、例えば第１操作部３１をクリック（押下）して、処理対象範囲を確定させる。図９には、処理対象範囲として設定（確定）された、矩形壁部Ｆ３の線分部分の画像Ｄ３が示されている。本実施の形態では、表示部２０における表示エリアＡ１とは異なる表示エリアＡ４に、この画像Ｄ３が表示されるようになっている（図３参照）。
【００７４】
このように本実施の形態では、図８で示したように、例えば、斜めに延びる線分部分乃至その周辺を処理対象範囲として設定したい場合に、前記斜めに延びる線分部分に大まかに重なるような線分を線分描画部としての図形描画部１４によって描画し、図形描画部１４によって描画された線分の基本線の線幅を処理範囲設定部１５によって任意に増大させることで、斜めに延び、且つ、所望の幅を有する矩形状の領域として処理対象範囲を設定することができる。このため、簡単且つ効率的に、表示部２０に表示された画像において、所望の幅を有する矩形状の領域として処理対象範囲をよりフレキシブルに設定することができる。
【００７５】
また、本実施の形態では、線分の基本線の線幅を、線分に直交する両方向で等距離ずつ増大させるようになっている。これにより、処理対象範囲として設定したい矩形状の領域の中心線に重なる線分を、図形描画部１４によって描画させればよいため、処理対象範囲の設定操作を容易に行うことができるようになっている。
【００７６】
さらに、本実施の形態では、マウスホイール３３の回転に応じて、線分の基本線の線幅を増大させるようになっているので、処理対象範囲の設定操作を容易に行うことができる。より詳しくは、マウスホイール３３の回転を一方向に進めるに従い、線分の基本線の線幅を、線分に直交する両方向で等距離ずつ徐々に、増大させるようになっていると共に、増大された線幅は、マウスホイール３３を増大させる際の方向とは逆方向（他方向）に回転させることで、減少させることが可能となっている。このため、所望の幅の設定操作を容易に行うことができるようになっている。
【００７７】
以上、本発明の実施の形態を説明したが、本発明は、上記の実施の形態に限定されるものではなく、上記の実施の形態において種々の変更等がなされるものも含む。例えば、図形描画部１４による円形、円弧または線分の描画は、別の公知の手法が採用され得る。例えば、１つの座標点をマウス３０のクリック操作等によって指定し、当該座標点からマウスをドラッグさせる操作に伴って、座標点とドラッグ先の座標点との間の距離を直径として円形が描画されてもよい。
【符号の説明】
【００７８】
１  画像処理装置
１０  コンピュータ
１４  図形描画部
１５  処理範囲設定部
２０  表示部
３０  マウス
３３  マウスホイール
【図１】
2016040677.tif 000003
【図２】
2016040677.tif 000004
【図３】
2016040677.tif 000005
【図４】
2016040677.tif 000006
【図５】
2016040677.tif 000007
【図６】
2016040677.tif 000008
【図７】
2016040677.tif 000009
【図８】
2016040677.tif 000010
【図９】
2016040677.tif 000011